(57)【要約】【課題】着信報知に利用可能なコンテンツを表題当てアミューズメントに活用し、コンテンツの再生内容を解答に応じて段階的に切り替えて多様なコンテンツ再生を得る。【解決手段】この携帯電話端末には、着信報知に利用可能な複数のコンテンツが表題情報（タイトル等）と共に記憶され、ユーザの解答操作に応じてコンテンツの再生が種々に変化される。ユーザ操作により再生開始の指示があると、何れかのコンテンツが所定の態様（少ない情報量）で再生され（画面１）、ユーザ操作により再生中のコンテンツに対する解答情報の入力操作（Ａｔ＋確定）があると、コンテンツに付加されている表題情報との比較により解答情報が正解であるか否かを判定する。その結果、解答が不正解である場合（画面３）、当該コンテンツの再生態様を変更して（より多い情報量）再度コンテンツの再生を行い、不正解の間は、再生態様変更、解答入力及び正否判定を繰り返し行う。【選択図】図４
2007251696.tif 000002
【特許請求の範囲】
【請求項１】
着信報知に利用可能な複数のコンテンツを記憶した記憶手段であって、各コンテンツに表題情報が付与されているものと、
上記記憶手段に記憶された何れかのコンテンツを所定の態様で再生するコンテンツ再生手段と、
ユーザ操作に応じて、上記コンテンツ再生手段により再生中のコンテンツの表題情報を入力する情報入力手段と、
上記情報入力手段により入力された表題情報と上記再生中のコンテンツに付与されている表題情報とを比較し、両表題情報が一致しているか否かを判定する一致判定手段と、
上記一致判定手段により両表題情報が一致していないと判定された場合に、当該コンテンツの再生態様を変更する再生態様変更手段と
を具備し、
上記コンテンツ再生手段は、上記再生態様変更手段により変更された再生態様で当該コンテンツを再生する
ことを特徴とする携帯電話端末。
【請求項２】
着信報知に利用可能な複数のコンテンツを記憶した記憶手段であって、各コンテンツに表題情報が付与されているものを具備し、携帯電話端末として機能するコンピュータに、
上記記憶手段に記憶された何れかのコンテンツを所定の態様で再生するコンテンツ再生ステップと、
ユーザ操作に応じて、上記コンテンツ再生ステップで再生中のコンテンツの表題情報を入力する情報入力ステップと、
上記情報入力ステップで入力された表題情報と上記再生中のコンテンツに付与されている表題情報とを比較し、両表題情報が一致しているか否かを判定する一致判定ステップと、
上記一致判定ステップで両表題情報が一致していないと判定されたときに、当該コンテンツの再生態様を変更する再生態様変更ステップと
から成り、
上記コンテンツ再生ステップでは、上記再生態様変更ステップで変更された再生態様で当該コンテンツを再生する
手順を実行させるためのコンテンツ再生プログラム。
【発明の詳細な説明】
【技術分野】
【０００１】
この発明は、着信報知に利用可能なコンテンツを活用してユーザがアミューズメント的にコンテンツ再生を楽しむことができる携帯電話端末に関する。
【背景技術】
【０００２】
従来より、携帯電話端末向けに種々の音楽コンテンツやマルチメディアコンテンツが提供されており、携帯用電話端末に提供されたコンテンツは、着信報知やコンテンツ自体を再生して視聴するといった用途に用いられる。例えば、特許文献１の携帯電話機では、記憶された楽曲データのサビ部分に繰返し再生を設定しておき、着信時にイントロを再生した後サビ部分を繰り返し再生して着信を報知する。
【特許文献１】特開２００４−２５８１８７号公報
【０００３】
また、音楽コンテンツは他の用途としてアラーム音声として利用されることもあり、複数のアラームをセットすることができるようになった携帯電話端末もある。さらに、特許文献２の携帯通信端末では、着信メロディ用の楽曲ファイルを用いてイントロクイズを実行することができるようにしている。
【特許文献２】特開２００３−１０５４０号公報
【０００４】
しかしながら、従来の携帯電話端末においては、着信報知として利用したり、コンテンツ自体を個々に再生したり、アラームとして時刻を報知したり、イントロクイズを楽しむことができるが、更に面白みのある多様な再生ができなかった。
【発明の開示】
【発明が解決しようとする課題】
【０００５】
この発明は、このような事情に鑑み、携帯電話端末が保持している着信報知に利用可能なコンテンツをその表題事項を当てるアミューズメントに活用し、コンテンツの再生内容を解答に応じて段階的に切り替えて多様なコンテンツ再生を得ることができるコンテンツ再生技術を提供することを目的とする。
【課題を解決するための手段】
【０００６】
この発明の主たる特徴に従うと、着信報知に利用可能な複数のコンテンツ（Ｆｄ；Ｆｄ１，Ｆｄ２，…）を記憶した記憶手段（Ｃ；２）と、着信報知に利用可能な複数のコンテンツを記憶した記憶手段であって、各コンテンツに表題情報（タイトル等）が付与されているものと、記憶手段に記憶された何れかのコンテンツ〔Ｆｄａ（ａ：１，２，…）〕を所定の態様で再生するコンテンツ再生手段（Ｄ，Ｅ；６；Ｓ５）と、ユーザ操作に応じて、上記コンテンツ再生手段により再生中のコンテンツ（Ｆｄａ）の表題情報を入力する情報入力手段（Ａ；３；Ｓ４）と、情報入力手段により入力された表題情報と再生中のコンテンツ（Ｆｄａ）に付与されている表題情報とを比較し、両表題情報が一致しているか否かを判定する一致判定手段（Ｂ；Ｓ６，Ｓ７）と、一致判定手段により両表題情報が一致していないと判定された場合に、当該コンテンツ（Ｆｄａ）の再生態様を変更する再生態様変更手段（Ｂ；Ｓ１０）とを具備し、コンテンツ再生手段（Ｄ，Ｅ；６；Ｓ５）は、再生態様変更手段（Ｂ；Ｓ１０）により変更された再生態様で当該コンテンツ（Ｆｄａ）を再生する携帯電話端末（ＴＭ）〔請求項１〕、並びに、着信報知に利用可能な複数のコンテンツ（Ｆｄ；Ｆｄ１，Ｆｄ２，…）を記憶した記憶手段（２）であって、各コンテンツに表題情報（タイトル等）が付与されているもの（２）を具備し、携帯電話端末として機能するコンピュータに（ＴＭ）、記憶手段に記憶された何れかのコンテンツ〔Ｆｄａ（ａ：１，２，…）〕を所定の態様で再生するコンテンツ再生ステップ（Ｓ５）と、ユーザ操作に応じて、コンテンツ再生ステップで再生中のコンテンツの表題情報を入力する情報入力ステップ（Ｓ４）と、情報入力ステップで入力された表題情報と再生中のコンテンツ（Ｆｄａ）に付与されている表題情報とを比較し、両表題情報が一致しているか否かを判定する一致判定ステップ（Ｓ６，Ｓ７）と、一致判定ステップで両表題情報が一致していないと判定されたときに、当該コンテンツの再生態様を変更する再生態様変更ステップ（Ｓ１０）とから成り、コンテンツ再生ステップ（Ｓ５）では、再生態様変更ステップ（Ｓ１０）で変更された再生態様で当該コンテンツ（Ｆｄａ）を再生する手順を実行させるためのコンテンツ再生プログラム〔請求項２〕が提供される。なお、括弧書きは、理解の便のために付記した実施例の参照記号、用語等を表わし、以下においても同様である。
【発明の効果】
【０００７】
この発明の主たる特徴によると、携帯電話端末（ＴＭ）の記憶手段（Ｃ；２）に着信報知に利用可能な複数のコンテンツ（Ｆｄ；Ｆｄ１，Ｆｄ２，…）を表題情報（タイトル等）と共に記憶しておき、ユーザ操作により再生開始を指示すると（Ｓ１＝再生）、これに応じて、何れかのコンテンツ〔Ｆｄａ（ａ：１，２，…）〕を所定の態様で再生する（Ｓ５）。再生中のコンテンツ（Ｆｄａ）に対する解答としてユーザの情報入力操作に基づく表題情報の入力を受け付けて（Ｓ４＝ＹＥＳ）、解答として入力された表題情報（解答情報）と再生コンテンツ（Ｆｄａ）に付加されている表題情報との比較により入力情報（解答情報）の解答が正解であるか否かを判定する（Ｓ６，Ｓ７）。この判定により解答が不正解である場合は、当該コンテンツ（Ｆｄａ）の再生態様を変更し（Ｓ１０）、変更の再生態様で、再度、当該コンテンツ（Ｆｄａ）の再生を行う（Ｓ１０→Ｓ４→Ｓ５）。例えば、ユーザが解答したときに再生されているコンテンツ（Ｆｄａ）の再生態様を第１再生態様と呼び、変更後の再生態様を第２の再生態様と呼ぶものとすると、第２再生態様は、第１再生態様より多くの情報量を含むようにし、解答が不正解である間は、第１再生態様から第２再生態様への変更、表題情報入力及び正解判定を繰り返し行う。
【０００８】
従って、この発明によれば、携帯電話端末が保持している着信報知に利用可能なコンテンツをその表題事項を当てるアミューズメントに活用し、コンテンツの再生内容を解答に応じて段階的に切り替えて多様なコンテンツ再生を得ることができ、ユーザは、変化のあるコンテンツ再生を体感つつ表題当てゲームを楽しむことができる。
【発明を実施するための最良の形態】
【０００９】
〔システムの概要〕
図１は、この発明の一実施例による携帯電話端末のシステム構成例を表わす図である。この携帯電話端末ＭＴは、図１（１）のハードウエア構成概略ブロック図に示されるように、中央処理装置（ＣＰＵ）１、記憶装置２、入力操作デバイス３、通信回路（通信インターフェース）４、送受話処理回路５、出力処理回路６などを備え、これらの装置１〜６はバス７を介して互いに接続されている。
【００１０】
記憶装置２は、フラッシュメモリ等の不揮発性半導体メモリで構成され、ランダムアクセスメモリ部（ＲＡＭ部）２ａ、読出専用メモリ部（ＲＯＭ部）２ｂ及び補助記憶部（外部記憶部）２ｃとして機能する。ＲＯＭ部２ｂは、機器全体を統括制御するためのファームウェアやプリセットされた制御プログラム、着信報知データファイル等を記憶しており、補助記憶部２ｃは、新たな着信報知データファイルを含む各種データや他の制御プログラム等を保存するのに利用される。これらの制御プログラムには、この携帯電話端末ＭＴ上で着信報知データファイルをアミューズメント的に活用する「コンテンツ活用処理」と呼ばれる処理を行うためのアプリケーションプログラムが含まれる。
【００１１】
ＣＰＵ１は、記憶装置２のＲＡＭ部２ａ及びＲＯＭ部２ｂと共に本体処理部を構成し、ＲＯＭ部３に記憶されたファームウェアに従い機器全体を統括制御し、また、ＲＯＭ部２ｂ或いは補助記憶部２ｃに記憶された制御プログラムに従って対応するアプリケーションを実行する。ＲＡＭ部２は、各種処理に際してＯＳや各種アプリケーションの作業用エリアとして利用され、必要に応じて、所要のデータを一時的に保持しておくことができる。例えば、コンテンツ活用処理の際には、着信報知データファイルの再生時間情報をＲＡＭ部２の所定記憶領域に格納しておくことができる。
【００１２】
入力操作デバイス３は、カーソルキー、機能キー（ＳＷ１〜ＳＷ３）、決定キー（ Enter）、文字・数字・記号キー（テンキー類）等のボタン・スイッチ類から成る入力操作子と、これら入力操作子の操作内容を検出して本体処理部（１，２ａ，２ｂ）或いは通信回路４に導入する操作検出回路から成り、例えば、通話先の電話端末を指定したり、補助記憶部２ｃに記憶された複数の着信報知データファイルから所望の着信報知データを実際の着信報知用に指定するのに用いるだけでなく、コンテンツ活用処理プログラム等の種々のアプリケーションに基づく動作モードを指定したり、各動作モードにおけるアプリケーションの設定や進行を制御するのに用いられる。
【００１３】
通信回路４は、送受話処理回路５及びアンテナ８が接続され、通話音声及び送受データの変調及び復調などを行う。また、送受話処理回路５は、送話用音声入力装置（マイク）９及び出力処理回路６に接続され、通話音声の符号及び復号化を行う。さらに、出力処理回路６は、着信受話信号処理部と音響信号処理部や表示処理部などの出力処理部とを備え、音響信号処理部は、音源やＤＳＰ（ディジタル信号処理器）等を含む音源ＬＳＩ、Ｄ／Ａ変換器や出力アンプ等を有し、表示処理部はグラフィックカードや点滅制御器を有する。この出力処理回路６には、スピーカやヘッドフォン等の音響出力装置１０、振動出力装置（バイブレータ）１１、ＬＣＤやＬＥＤ等の表示装置１２などの出力装置に接続される。例えば、電話着信時には、着信受話信号処理部と出力処理部により各出力装置１０〜１２を駆動し、コンテンツ利用時には、出力処理部により、記憶手段２ａ〜２ｃに記憶されているコンテンツのデータを再生処理して各出力装置１０〜１２に再生出力させる。
【００１４】
つまり、通常の電話機能については、マイク９及び音響出力装置１０より送受話処理回路５及び出力処理回路６の着信受話信号処理部を通じ、通信回路４、アンテナ８、無線基地局ＢＳ、交換局（図示せず）及び電話通信回線を介して他の電話端末と通話することができる。また、他の電話端末から着信を受けた時には、出力処理回路６によって、バイブレータ１１の振動やＬＥＤ（１２）の点滅で着信を報知するだけでなく、指定された着信報知データファイルに従い、「着メロ」（登録商標）乃至「着ウタ」（登録商標）と呼ばれるメロディや歌唱を音響出力装置１０から放音させたり、着信画面をＬＣＤに表示させることができる。
【００１５】
また、通信回路４は、アンテナ８、無線基地局ＢＳ、交換局（図示せず）及びインターネット等の広域通信ネットワークＣＮを通じて、各種コンテンツを通信端末に配信するコンテンツ提供サイトとして機能する配信サーバＳＶとパケット通信等によりコンテンツデータを授受することができる。配信サーバＳＶには、着信報知データファイルなどの各種コンテンツを電話端末ユーザに提供するためのコンテンツデータベースが設けられており、携帯電話端末ＭＴは、通信回路４を通じて外部の配信サーバＳＶにアクセスし、着信報知データファイルを含む所望のコンテンツをＲＡＭ部２ａに保持することができ、着信報知データファイルは、必要に応じて、補助記憶部２ｃに保存することができる。これにより、コンテンツ活用処理の際には、ＲＯＭ部２ｂだけでなくＲＡＭ部２ａや補助記憶部２ｃに記憶されたコンテンツの楽音や画像を出力処理回路６の音響信号処理部及び表示処理部を通じて音響出力装置１０やＬＣＤに出力することができる。
【００１６】
図１（２）は、この発明の一実施例による携帯電話端末のコンテンツ活用処理時におけるデータ再生系の機能ブロック図である。この携帯電話端末ＭＴは、コンテンツ活用処理時のデータ再生機能をブロックで表わすと、図示のように、設定・検出手段Ａ、制御手段Ｂ、記憶手段Ｃ、読出手段Ｄ及び再生手段Ｅで構成される。
【００１７】
記憶手段Ｃは、記憶装置２によるコンテンツ即ち着信報知データファイルＦｄ及び再生設定情報の記憶機能に対応する。つまり、ＲＯＭ部２ｂ乃至補助記憶部２ｃには、後述するように、複数のコンテンツ即ち着信報知データファイルＦｄ；Ｆｄ１，Ｆｄ２，…を蓄積しており、コンテンツ活用処理の際には、必要に応じて、サーバＳＶから通信回路４を通じて着信報知データファイルをＲＡＭ部２ａに一時的に保持することもできる。各データファイルＦｄは、それぞれ、タイトル等の表題情報が付記されており、多様な態様で再生可能な複数種の再生データで構成されている。また、補助記憶部２ｃには、ファイル選択範囲及び選択方法、最大再生回数（再生回数の上限値）、再生態様、再生開始位置、表題範囲などから成る再生設定情報が記憶される。
【００１８】
設定・検出手段Ａは、入力操作デバイス３、出力処理回路６の表示処理部、表示装置１２のＬＣＤ（１２ａ）及び本体処理部（１，２ａ，２ｂ）による情報設定及び入力機能に対応する。つまり、設定時には、ユーザ操作に応じて、再生設定情報の内容を設定し記憶手段Ｃ（２ｃ）に記憶し、必要に応じて、記憶された再生設定情報を更新することができる。また、データ再生時には、記憶手段Ｃ（２ｃ）に記憶された再生設定情報を読み出して制御手段Ｂに入力すると共に、ユーザ操作による再生開始指示を受け付けて制御手段Ｂにデータファイルの再生開始を指示し、データファイル再生中は、ユーザ操作による解答情報入力を受け付けて制御手段Ｂに解答情報を入力する。
【００１９】
制御手段Ｂは、本体処理部（１，２ａ，２ｂ）による読出し制御、再生制御及び入力判定機能に対応し、再生時に設定・検出手段Ａから入力される再生設定情報がセットされる。また、設定・検出手段Ａから再生開始指示に応答して所定のデータファイルＦｄａ（ａ：１，２，…）を記憶手段Ｃから読み出すべきことを読出手段Ｄに指示する（ファイル選択指示）。制御手段Ｂは乱数発生手段を備え、例えば、セットされた再生設定情報（ファイル選択方法）によりランダム選択が設定されていると、再生開始指示に応じて乱数発生手段から発生される乱数値に基づき、再生すべきデータファイルＦｄａを選択する。
【００２０】
制御手段Ｂは、再生手段Ｅに対し、再生開始指示があると、セットされた再生設定情報（再生態様）に基づきコンテンツ再生の情報量が少ない所定（低い情報量ランク）の再生態様で当該コンテンツＦｄａを再生するように指示し、設定・検出手段Ａから解答情報が入力されると、再生停止を指示する（再生制御）。さらに、読出手段Ｄから読み出される表題情報と解答情報を比較して両情報が一致しているか否かを判定し、不一致（不正解）の場合は、同再生設定情報（再生態様）に基づいて、不一致の度に情報量がより多くなるように再生態様を（より高い情報量ランクに）変更して当該コンテンツＦｄａを所定位置から再生するように再生手段Ｅに指示する。一方、一致（正解）の場合には、設定・検出手段Ａからの次の再生開始指示を待機する。また、正解、不正解の判定結果を出力処理回路６を通じてＬＣＤ１２ａや音響出力装置１０からユーザに報知する（解答判定出力）。
【００２１】
読出手段Ｄは、本体処理部及び出力処理回路６によるデータ読出機能に対応し、制御手段Ｂにより選択的に指定されたコンテンツＦｄａのデータを記憶手段Ｃ（２）から読み出す。そして、再生手段Ｅは、出力処理回路６の音響信号処理部及び表示処理部、音響出力装置１０並びに表示装置１２のＬＣＤ（１２ａ）による音響発生乃至表示機能に対応し、制御手段Ｂにより指示された再生態様及び再生位置に従って、読出手段Ｄにより読み出されたコンテンツＦｄａのデータ再生を行う。
【００２２】
〔キー配置例〕
図２（１）は、携帯電話端末において入力操作デバイスとして用いられるキーの典型的な配置例を示す。この携帯電話端末ＭＴの操作面には、表示装置１２のＬＣＤ１２ａ及び入力操作デバイス３の操作子が配置される。ＬＣＤ１２ａの画面の下端近傍には、ファンクションキー３ａとして用いられる３つのキー「ＳＷ１」〜「ＳＷ３」が配列され、ＬＣＤ画面の下部に表示される機能表記に対応する機能が与えられる。
【００２３】
ファンクションキー３ａの下部には、決定キー（「Ｅｎｔｅｒ」）３ｂの上下左右に４つのカーソルキー（「△」〜「▽」）が配置され、上下移動カーソルキー（「△」、「▽」）３ｃ，３ｄは、ＬＣＤ画面内でカーソルを上下に移動してユーザ所望の項目をカーソルで強調表示して選択的に指示するのに用いられる。また、これらのキーの下部には、電話番号や文字入力に用いられる文字・数字キー等を含むその他キー群３ｅが配置される。
【００２４】
〔記憶内容例〕
図２（２）は、携帯電話端末の記憶装置に記憶されるデータの構成例を表わす。この携帯電話端末ＭＴでは、１乃至複数の着信報知データファイルＦｄが記憶手段Ｃに記憶され、例えば、図示のように、複数の着信報知データファイルＦｄ：Ｆｄ１，Ｆｄ２，…がＲＯＭ部２ｂ及び／又は補助記憶部２ｃに記憶される。
【００２５】
着信報知データファイルＦｄ：Ｆｄ１，Ｆｄ２，…は、メロディや歌唱（音声）を表わす音響情報、文字や画像などを表わす表示情報などを時系列で記述したコンテンツであり、予め何れかのデータファイルを着信報知用に設定しておくことにより、この携帯電話端末ＭＴが他の電話端末から着呼を受けたときに当該データファイルを再生して音響出力装置１０やＬＣＤ１２ａからメロディや歌唱を放音させたり着信画面を表示するのに利用することができる。各データファイルＦｄは、図２の右下（第１着信報知データファイルＦｄ１の内容を例示）に示すように、ヘッダ情報Ｈｄ、マスタートラックＴｍ及び再生トラックＴｐ，Ｔｖ，Ｔｉから成る。
【００２６】
ヘッダ情報Ｈｓは、当データファイル先頭のヘッダ部分に記述され、該データファイルＦｄのタイトルや、アーティスト名、制作者名（作曲者名、作詞者名）、再生トラック数、標準テンポ、全再生時間などから成る。マスタートラックＴｍには、再生トラックＴｐ，Ｔｖ，Ｔｉの再生に係る全体的な時間制御情報（小節線位置、テンポ変更など）がタイミング情報Δｔｍ：Δｔｍ１，Δｔｍ２，…と共に時系列的にイベントで記述される。
【００２７】
再生トラックＴｐ，Ｔｖ，Ｔｉ中の演奏トラックＴｐは、ＭＩＤＩのように、演奏イベントをタイミング情報Δｔｐ：Δｔｐ１，…と共に時系列シーケンスで記述して演奏データを表わすようにしたものであり、再生の際は演奏イベントシーケンスに従って楽音信号を合成して発音する。また、演奏トラックＴｐには、ＬＥＤ点灯イベント及びバイブレータ振動イベントが含まれており、ＬＥＤ点灯イベントにより表示装置１２のＬＥＤを駆動し、バイブレータ振動イベントにより振動出力装置１１を駆動することができる。
【００２８】
音声トラックＴｖは、ＰＣＭ方式で記録された音声データ（オーディオデータ）と、該音声データの再生箇所を指示する音声イベントをタイミング情報Δｔｖ：Δｔｖ１，…と共に時系列で記述した音声イベントシーケンスとから成り、再生の際は、音声イベントシーケンスで指示される音声データに従って音声を発生する。
【００２９】
また、文字・画像トラックＴｉは、文字列や、静止画、動画、アニメーション画像等の画像を記録した文字・画像データと、該文字・画像データの再生箇所を指示する文字・画像イベントをタイミング情報Δｔｉ：Δｔｉ１，…と共に時系列で記述した文字・画像イベントシーケンスとから成り、再生の際は、文字・画像イベントシーケンスで指示される文字・画像データに従って文字・画像を表示する。
【００３０】
各再生トラックＴｐ，Ｔｖ，Ｔｉは、再生指示に応じて、マスタートラックＴｍのイベント進行と共に各内容が同期して再生される。例えば、再生トラックに演奏トラックＴｐだけでなく音声トラックＴｖが含まれる場合は、規定されたタイミングΔｔで、演奏トラックＴｐの演奏イベントに基づく楽音データと音声トラックＴｖの音声イベントに基づく音声データとが同期して再生される。また、文字・画像トラックＴｉが含まれる場合は、演奏トラックＴｐの演奏イベントに基づく楽音データの演奏進行に同期して、文字・画像トラックＴｉの文字・画像イベントに基づく画像やアニメーションの再生が行われる。なお、再生トラックＴｐ，Ｔｖ，Ｔｉの演奏イベント、音声イベント及び文字・画像イベントは、再生イベントと総称される。
【００３１】
〔動作例〕
この発明の一実施例による携帯電話端末ＴＭでは、前述したように、着信報知に利用可能な複数のコンテンツＦｄ；Ｆｄ１，Ｆｄ２，…を表題情報（タイトル等）と共に記憶しておき、コンテンツ活用処理プログラム（コンテンツ再生プログラム）に従い、ユーザの解答操作に応じてコンテンツの再生を種々に変化させる。つまり、ユーザ操作により再生開始の指示があると、何れかのコンテンツＦｄａ（ａ：１，２，…）が所定ランク（最初は、低ランク＝少ない情報量）の態様で再生され、ユーザ操作により再生中のコンテンツＦｄａに対する解答情報の入力操作〔図４（２）画面１：Ａｔ書込み＋「確定」〕があると、再生コンテンツＦｄａに付加されている表題情報との比較により解答情報が正解であるか否かを判定する。その結果、解答が不正解である場合、当該コンテンツＦｄａの再生態様を次のランク（高ランク＝より多い情報量）に変更して再度コンテンツＦｄａの再生を行い、不正解である間は、再生態様変更、解答入力及び正否判定を繰り返し行う。
【００３２】
図３は、この発明の一実施例によるコンテンツ活用処理例を表わすフローチャートを示し、図４は、この発明の一実施例による携帯電話端末における画面推移を表わす。この携帯電話端末ＭＴは、入力操作デバイス３に対する所定のユーザ操作によってコンテンツ活用モードになり、コンテンツ活用処理プログラムに従って図３の処理フローが開始する。ＣＰＵ１は、まず、図４（１）に示されるように、このコンテンツ活用処理アプリケーションのタイトルを表わすメイン画面をＬＣＤ１２ａに表示してユーザの指示操作を待機する。メイン画面には、タイトルの下部に３つの機能表記：「開始」、「設定」及び「終了」が表示され、ファンクションキー３ａ：ＳＷ１〜ＳＷ３に、各表記に対応する指示機能が割り当てられる。
【００３３】
ここで、ユーザの指示操作があると、その指示内容が調べられ、「設定」、「再生」及び「終了」の何れであるかを判定する。例えば、ユーザによりファンクションキー３ａ＝ＳＷ２が操作され「設定」が指示されると（Ｓ１＝設定）、ステップＳ２の設定処理を実行し、設定処理を終了するとステップＳ１の待機状態に戻り、ファンクションキー３ａ＝ＳＷ１が操作されて「再生」が指示されると（Ｓ１＝再生）、ステップＳ３以下の再生処理を実行し、この処理を終了するとステップＳ１の待機状態に戻る。また、ファンクションキー３ａ＝ＳＷ３が操作されて「終了」が指示されると（Ｓ１＝終了）、コンテンツ活用処理を終了してコンテンツ活用モード以前の状態に戻る。
【００３４】
まず、ステップＳ２では、設定画面（図示せず）をＬＣＤ１２ａに表示し、ユーザ操作により、再生処理における諸条件を設定した再生設定情報を設定・編集（更新）することができる。ここで、再生設定情報には、再生されるデータファイルＦｄａの選択範囲や方法、最大再生回数Ｎ（再生回数ｎの上限値）、再生態様、再生開始位置、表題範囲などを規定する情報が含まれる。
【００３５】
コンテンツ活用モードで再生されるコンテンツは、携帯電話端末ＴＭに予め記憶された範囲内でもよいが、このアプリケーションの起動に応じてサーバから新たに取得することもできる。そこで、ステップＳ２では、例えば、携帯電話端末ＴＭに既に記憶されたデータファイルの中からデータファイルＦｄａを選択するか、サーバから新たに取得されるデータファイルを含めてファイルＦｄａを選択するか等、ファイル選択範囲を定めたり、所定のファイル選択範囲からランダムに或いは所定の順序（例えば、記憶／取得／受信順等）でファイルＦｄａを選択するか、サーバから順次データファイルＦｄａを取得していくか、ユーザ操作で個々にファイルＦｄａを選択するか等、ファイル選択方法を定める。
【００３６】
最大再生回数規定情報は、不正解時に連続して再生可能な同一データファイルＦｄａの再生回数ｎの上限を表わす最大再生回数Ｎ（Ｎ≧２）を規定する。また、再生態様規定情報は、不正解時にデータファイルＦｄａの再生を再開する際に再生される再生データの種類を規定し、不正解の度に即ち再生回数ｎの増大に応じて、再生される情報量が次第に増えていくように再生データの種類を定める。例えば、４回を再生回数ｎの上限とした場合は（Ｎ＝４）、再生態様規定情報により、ファイルＦｄａの再生態様を次のように段階的に変化させる。
【００３７】
再生開始当初の初回のデータファイル再生は、演奏トラックＴｍのＬＥＤ点灯イベントのみに基づいてＬＥＤ（１２）を発光させるだけとし、最初の解答が不正解となった後の２回目の再生は、演奏トラックＴｍのバイブレータ振動イベントのみに基づいてバイブレータ１１を振動させるだけとする。また、第２回の解答も不正解となって３回目の再生を行うときは、両イベントによりＬＥＤ（１２）とバイブレータ１１を動作させると共に、文字・画像トラックＴｉの背景画像イベントに基づく背景映像をＬＣＤ１２ａの画面に表示する。そして、第３回解答も不正解で最後の４回目再生を行うときは、全再生トラックＴｐ，Ｔｖ，Ｔｉによる全再生データに基づいて全出力装置１０〜１２を駆動する。
【００３８】
なお、必ずしも、例示のような順序・パターンで再生態様を変化させる必要はなく、ユーザ所望の様態を任意に設定することができる。
【００３９】
再生開始位置規定情報は、再生処理（Ｓ３以下）の各回再生においてデータファイルＦｄａの再生を開始する再生データ位置を表わし、通常は、Δｔ＝０の再生データ冒頭に設定される。しかしながら、ユーザ所望の位置に任意に設定変更することができ、例えば、サビ部分の先頭でもよい。また、不正解時の再生開始位置については、さらに、解答情報入力時（Ｓ４＝ＹＥＳ）に再生が停止した位置を採用してもよい。
【００４０】
表題範囲規定情報は、ユーザの情報入力操作に基づく解答情報の正否を判定する際に、解答情報の比較対象となる表題情報の範囲（表題範囲）を規定し、通常は、データファイルＦｄａのヘッダ情報Ｈｄに記述されている種々の項目情報のうち、当該データファイルＦｄａに特徴的な文字列情報が設定され、以下の再生処理では、タイトル情報のみを表題範囲としている。しかしながら、タイトル情報に限らず、アーティスト名、作曲者名、作詞者名などの文字列情報を含ませることができる。さらに、ヘッダ情報Ｈｄ内だけでなく、その他文字列で入力できる情報であれば、再生データ中の（部分的な）歌詞、セリフ、画像として表示されるもの等を含めてもよい。
【００４１】
次に、図４（１）のメイン画面で「再生」が指示されたときは（Ｓ１＝再生）、ステップＳ３に進み、現在設定されている再生設定情報をＲＡＭ部２ｃにロードすると共に、再生設定情報中のファイル選択範囲及び選択方法規定情報による所定の選択範囲及び方法に従って記憶手段２から選択した所定のデータファイルＦｄａの再生開始を指示し、データファイルＦｄａの表題情報としてそのヘッダ情報Ｈｄからタイトルを取得する。また、ＬＣＤ１２ａには、図４（２）に示すように、「再生画面」と呼ばれる画面１を表示する。画面１には、データファイルＦｄａに対応する再生画面を表示するための主表示エリアの下部に解答書込みエリアＡｔが設けられ、更に下部のＬＣＤ画面下端近傍の両端に２つの機能表記：「確定」及び「終了」が表示され、ファンクションキー３ａ：ＳＷ１，ＳＷ３には、各表記に対応する指示機能が割り当てられる。
【００４２】
ステップＳ３の後は、更にステップＳ４に進んで、確定操作があったか否かを判定し、確定操作がないときは（Ｓ４＝ＮＯ）、ステップＳ５に進む。ステップＳ５では、再生設定情報中の再生態様規定情報に従ってデータファイルＦｄａを所定の再生態様で再生し、逐次、ステップＳ４に戻る。これによって、確定操作がない間は（Ｓ４＝ＮＯ）、ステップＳ５でデータファイルＦｄａを所定の再生態様で順次再生していく。
【００４３】
例えば、再生態様規定情報により、前述したような４段階の再生態様が設定されている場合に、ステップＳ３からステップＳ４を経てステップＳ５に進んだときは（１回目の再生）、データファイルＦｄａのＬＥＤ点灯イベントに従って表示装置１２のＬＥＤが点滅するだけである。従って、画面１の主表示エリアには、再生イベント（Ｔｉ）による映像は表示されず、例えば、「（１回目）再生中」を表わす文字又は画像が表示される。
【００４４】
データファイルＦｄａの再生中に、ユーザが文字・数字キー３ｅを用いてファイルＦｄａのタイトルに対する解答文字を解答書込みエリアＡｔに書き込む解答情報入力操作を行い、さらに、ファンクションキー３ａ＝ＳＷ１を操作すると、ステップＳ３で確定操作（Ａｔ書込み＋「確定」）があったと判定し（Ｓ４＝ＹＥＳ）、解答情報入力操作に基づく解答情報を受け付けると共にデータファイルＦｄａの再生を停止した上、ステップＳ６〜Ｓ１１の解答応答処理を行う。なお、キー３ａ＝ＳＷ１：「確定」の操作で、確定操作の判定及びファイルＦｄａの再生停止を行い、その後に解答情報入力操作をさせて解答応答処理に進むようにしてもよい。
【００４５】
さて、ステップＳ６では、受け付けた解答情報（テキスト情報）が、再生中であったコンテンツＦｄａのタイトル情報と一致するかどうかを判定して解答を評価する解答評価処理（正否判定処理）を行う。ここで、解答情報の正解度は、完全一致による比較で直ちに０／１の判定をしても良いし、文字列の部分一致等によってより細かい評価値を求め、その後、所定の閾値で正否判定を行うようにしても良い。
【００４６】
また、解答状況をサーバＳＶにアップロードして、ランキング等をつけても良い。この場合、正解状況により得点付けが行われる。例えば、得点を、
得点  ＝  再生回数ｎ×（再生開始〜確定操作が行われるまでの時間）    ……（１）
とし、得点が０に近いほど高評価となるようにすればよい。
【００４７】
次のステップＳ７では、正解評価処理の結果に基づいて解答情報が正解であるか否かを判定する。この判定により正解であれば（Ｓ７＝ＹＥＳ）、ステップＳ８に進んで、図４（３）に示すように、「正解画面」と呼ばれる画面２を表示する。画面２の主表示エリアには、ユーザの解答が正解である旨を表わす正解通知が表示され、必要に応じて、更に評価値や得点が付記される。また、画面の下部には２つの機能表記：「開始」及び「終了」が表示され、ファンクションキー３ａ：ＳＷ１，ＳＷ３に各表記に対応する指示機能が割り当てられる。
【００４８】
従って、ファンクションキー３ａ＝ＳＷ３のユーザ操作により「終了」が指示されると、ステップＳ１に戻ってメイン画面を表示し、ファンクションキー３ａ＝ＳＷ１のユーザ操作により「開始」が指示されると、破線で示すように、ステップＳ３に戻って再生されるデータファイルＦｄａを新たに選択し直してデータ再生を行うことができる。
【００４９】
一方、ステップＳ７でユーザの解答が不正解であると判定したときは（Ｓ７＝ＮＯ）、図４（３）に示すように、不正解である旨を表わす正解通知（更に評価値や得点の付記も可）を主表示エリアに表示した「不正解画面」と呼ばれる画面３を表示した上、更にステップＳ９に進んで、コンテンツＦｄａの再生回数ｎが、再生設定情報中の最大再生回数規定情報で規定される上限回数Ｎに達したか否かを判定する。
【００５０】
ここで、再生回数ｎが上限回数Ｎに達していない（Ｎ＜ｎ）と判定すると（Ｓ９＝ＮＯ）、さらに、画面３の下部に２つの機能表記：「リトライ」及び「終了」を表示し、ファンクションキー３ａ：ＳＷ１，ＳＷ３に各表記に対応する指示機能を割り当てる。そして、ファンクションキー３ａ＝ＳＷ１のユーザ操作により「リトライ」が指示されると、順次、ステップＳ１０，１１の処理を行った後、ステップＳ４に戻る。
【００５１】
すなわち、ステップＳ１０では、再生設定情報中の再生態様規定情報に従って、データファイルＦｄａの再生態様を次のランクの（より情報量の多い）再生態様にセットし、次のステップＳ１１では、データ再生の開始位置を、再生設定情報中の再生開始位置規定情報に規定された所定の位置にセットし、変更された再生態様でデータファイルＦｄａの再生を再開する。次いで、画面１（再生画面）をＬＣＤ１２ａに表示し、ステップＳ４に戻って、ユーザによる次の確定操作を待機する。
【００５２】
そして、ユーザの解答が不正解で再生回数ｎが上限回数Ｎに達しない間は（Ｓ７＝ＮＯ，Ｓ９＝ＮＯ）、上述したステップＳ４〜Ｓ７，Ｓ９〜Ｓ１１の動作を繰り返す。この場合、画面３（不正解画面）に対して、ファンクションキー３ａ＝ＳＷ３のユーザ操作により「終了」が指示されると、破線で示すように、ステップＳ３に戻る。また、限回数Ｎに達しない間にユーザの解答が正解となれば、その時点の画面２（正解画面）に対する「終了」（ＳＷ３）又は「開始」（ＳＷ１）の指示に応じて、それぞれ、ステップＳ１又はステップＳ３に戻る。
【００５３】
従って、不正解と「リトライ」指示が続けば、順次、再生態様を段階的に変更してＮ回のコンテンツ再生を行う。例えば、前述した４段階の再生態様が設定されている場合、２回目のデータ再生は、バイブレータ１１のみを振動させ、第２回の解答も不正解で「リトライ」指示により３回目の再生を行うときは、ＬＥＤ（１２）とバイブレータ１１を動作させると共にＬＣＤ１２ａの画面１（再生画面）に背景映像を表示する。
【００５４】
この場合、第３回解答も不正解で「リトライ」指示により４回目再生を行うときは、全再生トラックＴｐ，Ｔｖ，Ｔｉによる全再生データに基づいて全出力装置１０〜１２を駆動する。例えば、データファイルＦｄａにおける演奏及び音声トラックＴｐ，Ｔｖのイベントによる再生音響信号は、出力処理回路６から音響出力装置１０に出力される。また、文字・画像トラックＴｉのイベントによる再生映像信号は、出力処理回路６から表示装置１２に出力され、データファイルＦｄに対応するデータ再生画面が画面１に現れる。
【００５５】
ここで、最後の第４回解答も不正解となったときは、ステップＳ９で再生回数ｎが上限回数Ｎに達した（ｎ＝Ｎ）と判定し（Ｓ９＝ＹＥＳ）、画面３の下部右端に機能表記：「終了」を表示し（図示せず）、ファンクションキー３ａ＝ＳＷ３のユーザ操作により「終了」が指示されると、ステップＳ１に戻る。
【００５６】
〔種々の実施態様〕
以上、この発明の好適な一実施例について説明したが、これは単なる一例であって、この発明は、発明の精神を逸脱しない範囲で種々の変更が可能であり、種々の態様で実施することができる。例えば、実施例では段階的な再生態様の仕方として、本来的にコンテンツが有する再生情報を用いるものを例示したが、コンテンツの内容を解析したものを報知するようにしてもよい。例えば、楽音情報を再生した音声信号や音声データファイルの内容を周波数解析し、周波数分布の遷移を表示するようにしてもよい。
【図面の簡単な説明】
【００５７】
【図１】この発明の一実施例による携帯電話端末のシステム概要図である。
【図２】この発明の一実施例による携帯電話端末におけるキー配置及び記憶内容の例を表わす図である。
【図３】この発明の一実施例によるコンテンツ活用処理例を表わすフローチャートである。
【図４】この発明の一実施例による携帯電話端末の画面推移を表わす図である。
【符号の説明】
【００５８】
ＭＴ  携帯電話端末、
Ｆｄ：Ｆｄ１，Ｆｄ２，…；Ｆｄａ  着信報知データファイル（コンテンツ）、
Ａｔ  解答書込みエリア。
【図１】
2007251696.tif 000003
【図２】
2007251696.tif 000004
【図３】
2007251696.tif 000005
【図４】
2007251696.tif 000006